(57)【要約】【課題】発光ダイオード灯具の電源規格に応じて駆動電流を調整可能な駆動電流調整装置の提供。【解決手段】本発明に係る発光ダイオード灯具の駆動電流調整装置は、通信インタフェース、駆動電流生成モジュール及び駆動電流調整モジュールを含む。駆動電流生成モジュールは、マイクロプロセッサと、マイクロプロセッサに電気的に接続されるメモリ及び駆動電流生成部とを含む。マイクロプロセッサは、駆動電流調整モジュールが駆動電流生成モジュールに接続されない場合にメモリの出力電流設定値に応じて駆動電流を調整し、駆動電流調整モジュールが通信インタフェースを介して駆動電流生成モジュールに物理的に接続される場合に駆動電流調整モジュールの設定信号に応じて駆動電流を調整するように駆動電流生成部を制御する。マイクロプロセッサは、書き込み信号を受信した場合、設定信号に応じて電流設定値を書き換える。【選択図】図１
2018092877.tif 000002
【特許請求の範囲】
【請求項１】
発光ダイオード灯具の駆動電流調整装置であって、
通信インタフェースと、
駆動電流生成モジュールと、
設定信号及び書き込み信号を生成するための駆動電流調整モジュールと、を含み、
前記駆動電流生成モジュールは、
マイクロプロセッサと、
前記マイクロプロセッサに電気的に接続され、出力電流設定値を記憶するメモリと、
前記マイクロプロセッサに電気的に接続され、発光ダイオード灯具を駆動するための駆動電流を生成する駆動電流生成部と、を含み、
前記マイクロプロセッサは、
前記駆動電流調整モジュールが前記駆動電流生成モジュールに物理的に接続されない場合、前記出力電流設定値に応じて前記駆動電流のレベルを調整するように前記駆動電流生成部を制御する一方、
前記駆動電流調整モジュールが前記通信インタフェースを介して前記駆動電流生成モジュールに物理的に接続される場合、前記通信インタフェースを介して前記設定信号を受信するとともに、前記設定信号に応じて前記駆動電流のレベルを調整するように前記駆動電流生成部を制御し、
前記通信インタフェースを介して前記書き込み信号を受信した場合、前記設定信号に応じて前記出力電流設定値を書き換えることを特徴とする発光ダイオード灯具の駆動電流調整装置。
【請求項２】
前記駆動電流調整モジュールは、消去信号をさらに生成し、
前記マイクロプロセッサは、前記通信インタフェースを介して前記消去信号を受信した場合、前記出力電流設定値を所定値にリセットすることを特徴とする請求項１に記載の発光ダイオード灯具の駆動電流調整装置。
【請求項３】
前記駆動電流調整モジュールは、
前記設定信号を生成するための設定信号生成装置と、
前記設定信号生成装置に電気的に接続され、トリガー指示に応じて前記書き込み信号の生成または前記消去信号の生成から選択する書き込み消去部と、を含むことを特徴とする請求項２に記載の発光ダイオード灯具の駆動電流調整装置。
【請求項４】
前記書き込み消去部は、
前記トリガー指示が第１所定の時間に継続した場合、前記書き込み信号を生成し、
前記トリガー指示が第２所定の時間を超えた時間に継続した場合、前記消去信号を生成し、
前記第２所定の時間は、前記第１所定の時間よりも大きいことを特徴とする請求項３に記載の発光ダイオード灯具の駆動電流調整装置。
【請求項５】
前記駆動電流調整モジュールは、表示素子をさらに含み、
前記表示素子は、前記マイクロプロセッサが前記出力電流設定値を書き換えた場合に生成された応答信号を、前記通信インタフェースを介して受信して表示することを特徴とする請求項３に記載の発光ダイオード灯具の駆動電流調整装置。
【請求項６】
前記駆動電流生成モジュールは、前記通信インタフェースを介して前記駆動電流調整モジュールに操作電力を供給することを特徴とする請求項５に記載の発光ダイオード灯具の駆動電流調整装置。
【請求項７】
前記通信インタフェースは、ＵＳＢ電力供給規格により前記操作電力を伝送することを特徴とする請求項６に記載の発光ダイオード灯具の駆動電流調整装置。
【請求項８】
前記駆動電流調整モジュールに物理的に接続され、前記駆動電流調整モジュール、前記マイクロプロセッサ及び前記メモリに操作電力を供給する電源供給器をさらに含むことを特徴とする請求項５に記載の発光ダイオード灯具の駆動電流調整装置。
【請求項９】
前記通信インタフェースは、ＵＳＢ電力供給規格により前記操作電力を伝送することを特徴とする請求項８に記載の発光ダイオード灯具の駆動電流調整装置。
【発明の詳細な説明】
【技術分野】
【０００１】
本発明は、駆動装置に関し、特に発光ダイオード灯具の駆動電流調整装置に関する。
【背景技術】
【０００２】
半導体素子の一種としての発光ダイオード（ｌｉｇｈｔ  ｅｍｉｔｔｉｎｇ  ｄｉｏｄｅ，ＬＥＤ）は、主に半導体化合物により電気エネルギーを光エネルギーに変換して発光する。このため、発光ダイオードは、長寿命、高度な安定性、低電力消費量などの利点を有することから、蛍光灯やＨＩＤランプ、白熱電球などの従来の光源にかわって、室内外の照明灯に幅広く用いられている。
【０００３】
通常、発光ダイオードを光源とする灯具（以下、発光ダイオード灯具と称する）は、駆動装置によって駆動される。駆動装置は、入力電源（例えば、商用交流電源）を発光ダイオード灯具に適切な電力に変換することができる。
【発明の概要】
【発明が解決しようとする課題】
【０００４】
しかしながら、製造元の異なる発光ダイオード灯具の電源規格は、要望の輝度によって異なっている。このため、駆動装置の製造元は、発光ダイオード灯具の製造元の電源規格に応じて、対応する駆動装置を設計する必要がある。こうすると、研究開発のコストが増え、研究開発の時間の無駄が多くなってしまう。
【０００５】
したがって、本発明は、従来技術による研究開発コストの増加及び時間の無駄を抑制し、発光ダイオード灯具の電源規格に応じて駆動電流を調整可能な発光ダイオード灯具の駆動電流調整装置を提供することである。
【課題を解決するための手段】
【０００６】
上述した目的を達成するために、本発明に係る発光ダイオード灯具の駆動電流調整装置は、通信インタフェースと、駆動電流生成モジュールと、駆動電流調整モジュールとを含む。駆動電流生成モジュールは、マイクロプロセッサと、メモリと、駆動電流生成部とを含む。メモリは、マイクロプロセッサに電気的に接続され、出力電流設定値を記憶する。駆動電流生成部は、マイクロプロセッサに電気的に接続され、発光ダイオード灯具を駆動するための駆動電流を生成する。駆動電流調整モジュールは、設定信号及び書き込み信号を生成する。マイクロプロセッサは、駆動電流調整モジュールが駆動電流生成モジュールに物理的に接続されない場合、出力電流設定値に応じて前記駆動電流のレベルを調整するように前記駆動電流生成部を制御する一方、駆動電流調整モジュールが通信インタフェースを介して駆動電流生成モジュールに物理的に接続される場合、通信インタフェースを介して設定信号を受信するとともに、設定信号に応じて駆動電流のレベルを調整するように駆動電流生成部を制御する。マイクロプロセッサは、通信インタフェースを介して書き込み信号を受信した場合、設定信号に応じて出力電流設定値を書き換える。
【０００７】
一実施形態において、駆動電流調整モジュールは、消去信号を生成する。マイクロプロセッサは、通信インタフェースを介して消去信号を受信した場合、出力電流設定値を所定値にリセットする。これにより、駆動電流生成モジュールによって生成された駆動電流を出荷時の所定値に復帰させることができる。
【０００８】
一実施形態において、駆動電流調整モジュールは、設定信号生成装置と、書き込み消去部とを含む。設定信号生成装置は、設定信号を生成する。書き込み消去部は、設定信号生成装置に電気的に接続され、トリガー指示に応じて書き込み信号の生成または消去信号の生成から選択する。
【０００９】
一実施形態において、書き込み消去部は、トリガー指示が第１所定の時間に継続した場合に書き込み信号を生成し、トリガー指示が第２所定の時間を超えた時間に継続した場合に消去信号を生成する。第２所定の時間は、第１所定の時間よりも大きい。
【００１０】
一実施形態において、駆動電流調整モジュールは、表示素子をさらに含む。表示素子は、プロセッサが出力電流設定値を書き換えた場合に生成された応答信号を、通信インタフェースを介して受信して表示する。
【００１１】
一実施形態において、駆動電流生成モジュールは、通信インタフェースを介して駆動電流調整モジュールに操作電力を供給する。
【００１２】
一実施形態において、発光ダイオード灯具の駆動電流調整装置は、駆動電流調整モジュールに物理的に接続され、駆動電流調整モジュール、マイクロプロセッサ及びメモリに操作電力を供給する電源供給器をさらに含む。
【００１３】
一実施形態において、通信インタフェースは、ＵＳＢ電力供給規格により操作電力を伝送する。
【発明の効果】
【００１４】
本発明では、ユーザは駆動電流生成モジュールから出力された駆動電流を駆動電流調整モジュールで調整し、発光ダイオード灯具の駆動電流調整装置が電源規格の異なる発光ダイオード灯具に幅広く用いることができ、製造コストを低減して製造時間を減らすことができる。
【図面の簡単な説明】
【００１５】
【図１】本発明の第１実施形態に係る発光ダイオード灯具の駆動電流調整装置の回路ブロック図である。
【図２】本発明の第１実施形態の駆動電流生成部の回路ブロック図である。
【図３】本発明の第１実施形態に係る発光ダイオード灯具の駆動電流調整装置の動作を示すタイミングチャートである。
【図４】本発明の第２実施形態に係る発光ダイオード灯具の駆動電流調整装置の回路ブロック図である。
【図５】本発明の第３実施形態に係る発光ダイオード灯具の駆動電流調整装置の回路ブロック図である。
【図６】本発明の第４実施形態に係る発光ダイオード灯具の駆動電流調整装置の回路ブロック図である。
【図７】本発明の第５実施形態に係る発光ダイオード灯具の駆動電流調整装置の回路ブロック図である。
【発明を実施するための形態】
【００１６】
図１は、本発明の第１実施形態に係る発光ダイオード灯具の駆動電流調整装置の回路ブロック図である。発光ダイオード灯具の駆動電流調整装置１は、特定のパラメータに基づいて発光ダイオード灯具３を駆動する。なお、発光ダイオード灯具３は、１つ以上の白色光及び／又はマルチカラー発光ダイオード３０を含んでもよい。
【００１７】
発光ダイオード灯具の駆動電流調整装置１は、通信インタフェース１２、駆動電流生成モジュール１４及び駆動電流調整モジュール１６を含む。駆動電流生成モジュール１４及び駆動電流調整モジュール１６は、通信インタフェース１２を介してデータ及び電力を通信する。
【００１８】
通信インタフェース１２は、有線インタフェースであり、例えば、ユニバーサル・シリアル・バス（ｕｎｉｖｅｒｓａｌ  ｓｅｒｉａｌ  ｂｕｓ,ＵＳＢ）インタフェースであってもよい。通信インタフェース１２は、コネクタプラグ１２２及びポート１２４を含んでもよい。コネクタプラグ１２２とポート１２４とのインタフェースが行われる場合には、ＵＳＢインタフェースによる通信をサポートすることができる。図１に示すように、コネクタプラグ１２２が駆動電流調整モジュール１６に配置され、ポート１２４が駆動電流生成モジュール１４に配置される。このように、駆動電流調整モジュール１６は、コネクタプラグ１２２及びポート１２４を介して駆動電流生成モジュール１４に物理的に接続されるようになる。
【００１９】
駆動電流生成モジュール１４は、メモリ１４２、マイクロプロセッサ１４４及び駆動電流生成部１４６を含む。メモリ１４２は、出力電流設定値を記憶する。メモリ１４２は、不揮発性メモリ（ｎｏｎ−ｖｏｌａｔｉｌｅ  ｍｅｍｏｒｙ）、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ‐Ｏｎｌｙ  Ｍｅｍｏｒｙ）やフラッシュメモリ (ｆｌａｓｈ  ｍｅｍｏｒｙ)であってもよい。
【００２０】
マイクロプロセッサ１４４は、メモリ１４２及び駆動電流生成部１４６に電気的に接続されるほか、経路１４５を介してポート１２４に電気的に接続される。なお、経路１４５は、マイクロプロセッサ１４４とポート１２４との間の電気信号の伝送に用いられる１つ以上の（処理）手段を含んでもよい。マイクロプロセッサ１４４は、駆動電流生成部１４６を駆動するパルス幅変調信号を生成し、例えば、パルス幅変調装置（ｐｕｌｓｅ  ｗｉｄｔｈ  ｍｏｄｕｌａｔｏｒ）であってもよい。
【００２１】
駆動電流生成部１４６は、マイクロプロセッサ１４４からのパルス幅変調信号に応じて駆動電流Ｉｏｕｔを生成する。発光ダイオード灯具３は、駆動電流生成部１４６に接続され、駆動電流生成部１４６からの駆動電流Ｉｏｕｔを受ける。
【００２２】
図２は、本発明の第１実施形態の駆動電流生成部の回路ブロック図である。図２に示すように、駆動電流生成部１４６は、ＡＣ／ＤＣコンバータ１４６０及びＤＣ／ＤＣコンバータ１４６２を含む。ＡＣ／ＤＣコンバータ１４６０は、電流供給端５に電気的に接続され、電流供給端５から供給された交流電源を受けて直流電源に変換する。ＤＣ／ＤＣコンバータ１４６２は、ＡＣ／ＤＣコンバータ１４６０及びマイクロプロセッサ１４４に電気的に接続される。ＤＣ／ＤＣコンバータ１４６２は、マイクロプロセッサ１４４からのパルス幅変調信号のデューティサイクル（ｄｕｔｙ  ｃｙｃｌｅ）に応じて、直流電源を昇圧／降圧する処理を行うとともに、駆動電流Ｉｏｕｔのレベルを調整する。
【００２３】
図１に戻り、駆動電流生成モジュール１４が駆動電流調整モジュール１６に物理的に接続されない場合、マイクロプロセッサ１４４は、メモリ１４２からの出力電流設定値に応じて、生成されたパルス幅変調信号のデューティサイクルを設定する。これにより、駆動電流生成部１４６は、特定レベルの駆動電流Ｉｏｕｔを出力する。
【００２４】
駆動電流調整モジュール１６は、設定信号生成装置１６２及び書き込み消去部１６４を含む。設定信号生成装置１６２は、設定信号を生成する。設定信号生成装置１６２は、駆動素子（例えば、マイクロプロセッサや制御信号を生成するための他の集積回路）、または受動素子（例えば、抵抗器、ＤＩＰスイッチ）であってもよい。さらに、設定信号生成装置１６２は、例えば、直流電圧信号、直流電流信号、パルス幅変調信号、デジタルロジック信号または他の任意形態の電子信号を生成することができる。設定信号生成装置１６２は、経路１６３を介してコネクタプラグ１２２に電気的に接続される。なお、経路１６３は、設定信号生成装置１６２とコネクタプラグ１２２との間の電気信号の伝送に用いられる１つ以上の（処理）手段を含んでもよい。
【００２５】
書き込み消去部１６４は、トリガー指示に応じて、書き込み信号の生成及び消去信号の生成から選択する。また、書き込み消去部１６４は、経路１６５を介してコネクタプラグ１２２に電気的に接続される。なお、経路１６５は、書き込み消去部１６４とコネクタプラグ１２２との間の電気信号の伝送に用いられる１つ以上の（処理）手段を含んでもよい。
【００２６】
駆動電流調整モジュール１６がコネクタプラグ１２２及びポート１２４を介して駆動電流生成モジュール１４に物理的に接続される場合、マイクロプロセッサ１４４は、設定信号生成装置１６２からの設定信号を受信するとともに、生成されたパルス幅変調信号のデューティサイクルを設定信号に応じて調整するようになる。こうすることで、駆動電流生成部１４６から出力された駆動電流Ｉｏｕｔのレベルについても、対応する調整が行われる。
【００２７】
なお、駆動電流調整モジュール１６と駆動電流生成モジュール１４とが物理的に接続されてＵＳＢインタフェースによる通信を行う場合、マイクロプロセッサ１４４は、優先的に設定信号に応じて、生成されたパルス幅変調信号のデューティサイクルを調整するようになる。換言すれば、駆動電流調整モジュール１６と駆動電流生成モジュール１４とが物理的に接続される場合、マイクロプロセッサ１４４は、メモリ１４２からの出力電流設定値に応じて、生成されたパルス幅変調信号のデューティサイクルを設定するようにしない。
【００２８】
さらに、駆動電流調整モジュール１６と駆動電流生成モジュール１４とが物理的に接続されてＵＳＢインタフェースによる通信を行う場合、マイクロプロセッサ１４４は、書き込み消去部１６４からの書き込み信号を受信すると、書き込み信号に応答するとともに、設定信号に応じてメモリ１４２の出力電流設定値を書き換えるようになる。
【００２９】
その原因としては、以下通りになる。駆動電流生成モジュール１４が駆動電流調整モジュール１６に物理的に接続されない場合、マイクロプロセッサ１４４は、メモリ１４２からの出力電流設定値に応じて、生成されたパルス幅変調信号のデューティサイクルを設定するようになる。このため、マイクロプロセッサ１４４が書き込み信号に応答し、設定信号に応じて出力電流設定値を書き換えた後、駆動電流生成モジュール１４が駆動電流調整モジュール１６から分離されても、マイクロプロセッサ１４４によって生成されたパルス幅変調信号のデューティサイクルは、駆動電流生成モジュール１４が駆動電流調整モジュール１６に物理的に接続される場合に生成されたパルス幅変調信号のデューティサイクルと同じままになる。換言すれば、マイクロプロセッサ１４４が書き込み信号に応答し、設定信号に応じてメモリ１４２の出力電流設定値を書き換えた後、駆動電流Ｉｏｕｔのレベルは、駆動電流生成モジュール１４と駆動電流調整モジュール１６との分離時に変化することがない。
【００３０】
また、駆動電流調整モジュール１６と駆動電流生成モジュール１４とが物理的に接続されてＵＳＢインタフェースによる通信を行う場合、マイクロプロセッサ１４４は、書き込み消去部１６４からの消去信号を受信すると、生成されたパルス幅変調信号のデューティサイクルを設定信号に応じて調整するようになり、これにより、駆動電流生成部１４６から出力された駆動電流Ｉｏｕｔのレベルが調整される。一方、それと同時に、マイクロプロセッサ１４４は、消去信号に応答するとともに、消去信号に応じてメモリ１４２の出力電流設定値を出荷時の所定値に復帰させる。その後、駆動電流生成モジュール１４が駆動電流調整モジュール１６から分離されると、マイクロプロセッサ１４４は、メモリ１４２からの、出荷時の所定値である出力電流設定値に応答して生成されるパルス幅変調信号のデューティサイクルを設定する。これにより、駆動電流生成部１４６は、駆動電流Ｉｏｕｔのレベルを調整するようになる。この場合、駆動電流生成部１４６から出力された駆動電流Ｉｏｕｔのレベルは最大値となる。
【００３１】
本実施形態では、書き込み消去部１６４は、例えば、ノーマルオープン（ｎｏｒｍａｌ  ｏｐｅｎ）タイプのプッシュオンスイッチであってもよい。すなわち、書き込み消去部１６４は、トリガー指示の時間の長さによって、書き込み信号の生成及び消去信号の生成から選択する。図３に示すように、書き込み消去部１６４は、トリガー指示が第１所定の時間（例えば、１ｓ）ｔ１に継続した場合に書き込み信号を生成し、トリガー指示が第２所定の時間（例えば、４ｓ）ｔ２を超えた時間に継続した場合に消去信号を生成する。なお、第２所定の時間ｔ２は、第１所定の時間ｔ１よりも大きい。換言すれば、書き込み消去部１６４は、トリガー指示の時間の長さが第１所定の時間ｔ１と第２所定の時間ｔ２との間の場合、書き込み信号を供給するようになる。第１所定の時間ｔ１によれば、ユーザのタッチ誤操作による書き込み信号の生成の問題が生じることを回避することができる。
【００３２】
図１に示すように、駆動電流調整モジュール１６は、表示素子１６６をさらに含んでもよい。また、表示素子１６６は、経路１６７を介してコネクタプラグ１２２に電気的に接続され、例えば、発光ダイオードであってもよい。なお、経路１６７は、表示素子１６６とコネクタプラグ１２２との間の電気信号の伝送に用いられる１つ以上の（処理）手段を含んでもよい。図３に示すように、マイクロプロセッサ１４４は、書き込み信号を受信しかつ設定信号に応じて出力電流設定値を書き換えた場合、応答信号（例えば、ハイレベルの応答信号）を生成するようになる。この応答信号（例えば、ハイレベルの応答信号）は、通信インタフェース１２を介して駆動電流調整モジュール１６に伝送され、表示素子１６６の表示を駆動し、その結果、設定信号に応じて出力電流設定値を書き換えた旨をユーザに知らせる。また、マイクロプロセッサ１４４は、消去信号を受信しかつ消去信号に応じて出力電流設定値を出荷時の所定値に復帰させた場合、応答信号の生成を停止するか、または図３に示すように、ローレベルの応答信号を生成して表示素子１６６の表示を停止し、その結果、出力電流設定値を出荷時の所定値に復帰させた旨をユーザに知らせる。
【００３３】
なお、メモリ１４２に記憶されている出力電流設定値が出荷時の所定値でない場合、マイクロプロセッサ１４４は応答信号を生成するようになることを理解されたい。詳細には、上述したように、マイクロプロセッサ１４４は、設定信号に応じて出力電流設定値を書き換えた場合に（ハイレベルの）応答信号を送信する。これにより、表示素子１６６は、表示機能を実行する。上記により、マイクロプロセッサ１４４は、受信した消去信号に応じて出力電流設定値を出荷時の所定値に復帰させる前に、（ハイレベルの）応答信号を生成して表示素子１６６の表示を駆動する。駆動電流調整モジュール１６が駆動電流生成モジュール１４から分離された後、通信インタフェース１２を介して駆動電流生成モジュール１４に再度物理的に接続されても、マイクロプロセッサ１４４は、（ハイレベルの）応答信号を生成して表示素子１６６の表示を駆動するようになり、その結果、メモリ１４２の出力電流設定値が出荷時の所定値でない旨をユーザに知らせる。また、駆動電流調整モジュール１６は、駆動電流生成モジュール１４がパワーオンの状態時に、設定信号に応じてメモリ１４２の出力電流設定値を書き込むか、またはメモリ１４２の出力電流設定値を出荷時の所定値に復帰させることができる。この状態において、駆動電流生成モジュール１４は、通信インタフェース１２を介して駆動電流調整モジュール１６に物理的に接続されない場合、出力電流設定値に応じて、駆動電流Ｉｏｕｔを生成して発光ダイオード灯具３に送る。
【００３４】
駆動電流生成部１４６は、図１に示す経路１４７を介してポート１２４に電気的に接続されることができる。さらに、駆動電流調整モジュール１６が通信インタフェース１２を介して駆動電流生成モジュール１４に物理的に接続される場合、駆動電流生成部１４６は、ＵＳＢ電力供給（ｕｎｉｖｅｒｓａｌ  ｓｅｒｉａｌ  ｂｕｓ  ｐｏｗｅｒ  ｄｅｌｉｖｅｒｙ，ＵＳＢ−ＰＤ）規格により駆動電流調整モジュール１６に操作電力を供給する。こうすることで、駆動電流調整モジュール１６の書き込み消去部１６４は、トリガー指示に応じて書き込み信号または消去信号を生成し、表示素子１６６は、マイクロプロセッサ１４４からの応答信号を表示することができる。なお、経路１４７は、駆動電流生成部１４６とポート１２４との間の電気信号の伝送に用いられる１つ以上の（処理）手段を含んでもよい。
【００３５】
また、駆動電流調整モジュール１６は、駆動電流生成モジュール１４がパワーオフの状態時に、設定信号に応じてメモリ１４２の出力電流設定値を書き込むか、またはメモリ１４２の出力電流設定値を出荷時の所定値に復帰させることもできる。なお、駆動電流生成モジュール１４がパワーオフの場合、駆動電流生成部１４６は、経路１４７を介して駆動電流調整モジュール１６に操作電力を供給することができなくなる（すなわち、経路１４７が存在しない）。この状態において、駆動電流生成モジュール１４は、パワーオフになることから駆動電流Ｉｏｕｔを生成せず、駆動電流調整モジュール１６に必要な操作電力を供給することができない。この場合、図４に示すように、電源供給器１８により、駆動電流調整モジュール１６及び駆動電流生成モジュール１４に給電してもよい。
【００３６】
図４は、本発明の第２実施形態に係る発光ダイオード灯具の駆動電流調整装置の回路ブロック図である。図４に示すように、電源供給器１８は、直流電源を生成してオフライン（ｏｆｆ−ｌｉｎｅ）バーストカットを行う。電源供給器１８は、ケーブルアセンブリ１９のコネクタプラグ１９０及び駆動電流調整モジュール１６のポート１６８を介して、駆動電流調整モジュール１６に物理的に接続されてもよい。コネクタプラグ１９０とポート１６８とがインタフェースを行う場合、電源供給器１８は、例えば、ＵＳＢ電力供給規格により駆動電流調整モジュール１６に操作電力を伝送してもよい。
【００３７】
また、ポート１６８は、経路１６９を介してコネクタプラグ１２２に電気的に接続され、ＵＳＢ電力供給規格により電源供給器１８からの直流電源を駆動電流生成モジュール１４に供給することで、メモリ１４２及びマイクロプロセッサ１４４に操作電力を供給することができる。なお、経路１６９は、ポート１６８とコネクタプラグ１２２との間の電気信号の伝送に用いられる１つ以上の（処理）手段を含んでもよい。こうすることで、駆動電流調整モジュール１６の書き込み消去部１６４は、トリガー指示に応じて書き込み信号または消去信号を生成することができる。さらに、マイクロプロセッサ１４４は、書き込み信号または消去信号に応答するとともに、設定信号に応じてメモリ１４２の出力電流設定値を書き換えるか、または消去信号に応じてメモリ１４２の出力電流設定値を出荷時の所定値に復帰させることができる。また、表示素子１６６は、マイクロプロセッサ１４４からの応答信号を表示することができる。
【００３８】
図５は、本発明の第３実施形態に係る発光ダイオード灯具の駆動電流調整装置の回路ブロック図である。図５に示すように、発光ダイオード灯具の駆動電流調整装置１は、通信インタフェース１２、複数の駆動電流生成モジュール１４−１〜１４−ｎ及び駆動電流調整モジュール１６を含む。ここでは、ｎが整数である。駆動電流生成モジュール１４−１〜１４−ｎの個別の回路構成及び各素子の接続形態は、図４に示す駆動電流生成モジュール１４と同様のため、その詳細な説明は省略する。図５に示す駆動電流調整モジュール１６は、設定信号に応じて複数の駆動電流生成モジュール１４−１〜１４−ｎのメモリ１４２の出力電流設定値を同時に書き換えるか、または複数の駆動電流生成モジュール１４−１〜１４−ｎのメモリ１４２の出力電流設定値を出荷時の所定値に同時に復帰させる。
【００３９】
駆動電流生成モジュール１４−１〜１４−ｎ及び駆動電流調整モジュール１６は、通信インタフェース１２を介して物理的に接続されてデータ及び電力を通信してもよい。通信インタフェース１２は、有線インタフェースであり、例えば、ＵＳＢインタフェースであってもよい。図５に示すように、通信インタフェース１２は、駆動電流調整モジュール１６に配置された複数のポート１２２−１〜１２２−ｎと、各駆動電流生成モジュール１４−１〜１４−ｎに対応して配置された複数のポート１２４−１〜１２４−ｎと、複数のアダプタケーブル１２６−１〜１２６−ｎとを含んでもよい。
【００４０】
ポート１２２−１〜１２２−ｎと、アダプタケーブル１２６−１〜１２６−ｎの一端に配置されたアダプタプラグ１２６０−１〜１２６０−ｎとは、インタフェースを行うようになる。一方、ポート１２４−１〜１２４−ｎと、アダプタケーブル１２６−１〜１２６−ｎの他端に配置されたアダプタプラグ１２６２−１〜１２６２−ｎとは、インタフェースを行うようになる。これにより、駆動電流生成モジュール１４−１〜１４−ｎ及び駆動電流調整モジュール１６は、ＵＳＢインタフェースによる通信をサポートする。
【００４１】
駆動電流調整モジュール１６は、設定信号生成装置１６２、書き込み消去部１６４及び複数の表示素子１６６−１〜１６６−ｎを含む。設定信号生成装置１６２は、設定信号を生成し、経路１６３を介してポート１２２−１〜１２２−ｎに電気的に接続される。書き込み消去部１６４は、トリガー指示に応じて書き込み信号の生成及び消去信号の生成から選択し、経路１６５を介してポート１２２−１〜１２２−ｎに電気的に接続されてもよい。表示素子１６６−１〜１６６−ｎは、経路１６７−１〜１６７−ｎを介してポート１２２−１〜１２２−ｎに電気的に接続される。なお、表示素子１６６−１〜１６６−ｎの数は、駆動電流生成モジュール１４−１〜１４−ｎの数と同じである。これにより、表示素子１６６−１〜１６６−ｎは、駆動電流生成モジュール１４−１〜１４−ｎのメモリ１４２の出力電流設定値が設定信号に応じて書き換えられたか、または出荷時の所定値に復帰したかを表示する。
【００４２】
駆動電流生成モジュール１４−１〜１４−ｎのマイクロプロセッサ１４４は、書き込み信号を受信し、設定信号に応じて出力電流設定値を書き換えた場合、図３に示す（ハイレベルの）応答信号を生成することができる。この（ハイレベルの）応答信号は、通信インタフェース１２を介して駆動電流調整モジュール１６に伝送されて、表示素子１６６−１〜１６６−ｎの表示を駆動し、その結果、設定信号に応じてメモリ１４２の出力電流設定値を書き換えた旨をユーザに知らせる。
【００４３】
また、駆動電流生成モジュール１４−１〜１４−ｎのマイクロプロセッサ１４４は、消去信号を受信し、消去信号に応じて出力電流設定値を出荷時の所定値に復帰させた場合、応答信号の生成を停止するか、または図３に示すように、ローレベルの応答信号を生成して表示素子１６６−１〜１６６−ｎの表示を停止し、その結果、出力電流設定値を出荷時の所定値に復帰させた旨をユーザに知らせる。
【００４４】
図５に示すように、発光ダイオード灯具の駆動電流調整装置１は、電源供給器１８をさらに含む。電源供給器１８は、ケーブルアセンブリ１９のコネクタプラグ１９０及び駆動電流調整モジュール１６のポート１６８を介して駆動電流調整モジュール１６に物理的に接続される。コネクタプラグ１９０とポート１６８とがインタフェースを行う場合、電源供給器１８は、例えば、ＵＳＢ電力供給規格により駆動電流調整モジュール１６に操作電力を伝送する。
【００４５】
また、ポート１６８は、経路１６９を介してポート１２２−１〜１２２−ｎに電気的に接続され、ＵＳＢ電力供給規格により電源供給器１８から供給された直流電源を駆動電流生成モジュール１４−１〜１４−ｎに伝送して、メモリ１４２及びマイクロプロセッサ１４４に操作電力を供給してもよい。こうすることで、駆動電流調整モジュール１６の書き込み消去部１６４は、トリガー指示に応じて書き込み信号または消去信号を生成することが可能である。さらに、マイクロプロセッサ１４４は、書き込み信号または消去信号に応答し、設定信号に応じてメモリ１４２の出力電流設定値を書き換えるか、または消去信号に応じてメモリ１４２の出力電流設定値を出荷時の所定値に復帰させることが可能である。また、表示素子１６６−１〜１６６−ｎは、マイクロプロセッサ１４４からの応答信号を表示することができる。
【００４６】
図６は、本発明の第４実施形態に係る発光ダイオード灯具の駆動電流調整装置の回路ブロック図である。発光ダイオード灯具の駆動電流調整装置１は、通信インタフェース１２、駆動電流生成モジュール１４及び駆動電流調整モジュール１６を含む。駆動電流生成モジュール１４及び駆動電流調整モジュール１６は、通信インタフェース１２を介してデータ及び電力を通信する。
【００４７】
通信インタフェース１２は、有線インタフェースであり、例えば、ＵＳＢインタフェースであってもよい。通信インタフェース１２は、コネクタプラグ１２２及びポート１２４を含んでもよい。コネクタプラグ１２２とポート１２４とのインタフェースが行われる場合には、ＵＳＢインタフェースによる通信をサポートすることができる。図６に示すように、コネクタプラグ１２２が駆動電流調整モジュール１６に配置され、ポート１２４が駆動電流生成モジュール１４に配置され、駆動電流調整モジュール１６がコネクタプラグ１２２及びポート１２４を介して駆動電流生成モジュール１４に物理的に接続される。
【００４８】
駆動電流生成モジュール１４は、メモリ１４２、マイクロプロセッサ１４４及び駆動電流生成部１４６を含む。メモリ１４２は、マイクロプロセッサ１４４に電気的に接続され、出力電流設定値を記憶する。
【００４９】
マイクロプロセッサ１４４は、メモリ１４２及び駆動電流生成部１４６に電気的に接続される。また、マイクロプロセッサ１４４は、例えば、パルス幅変調装置であってもよい。さらに、マイクロプロセッサ１４４は、メモリ１４２からの出力電流設定値または駆動電流調整モジュール１６からの設定信号に応じて、生成されたパルス幅変調信号のデューティサイクルを調整することができる。詳細には、マイクロプロセッサ１４４は、駆動電流生成モジュール１４が駆動電流調整モジュール１６に物理的に接続されない場合、メモリ１４２からの出力電流設定値に応答してパルス幅変調信号のデューティサイクルを調整する一方、駆動電流生成モジュール１４が駆動電流調整モジュール１６に物理的に接続される場合、駆動電流調整モジュール１６からの設定信号に応答してパルス幅変調信号のデューティサイクルを調整する。
【００５０】
駆動電流生成部１４６は、マイクロプロセッサ１４４によって生成されたパルス幅変調信号を受信して駆動電流Ｉｏｕｔを生成する。発光ダイオード灯具３は、駆動電流生成部１４６に接続されて、駆動電流生成部１４６からの駆動電流Ｉｏｕｔを受ける。
【００５１】
駆動電流調整モジュール１６は、設定信号、書き込み信号及び消去信号を生成するとともに、駆動電流生成モジュール１４からの応答信号を表示することができる。図６に示すように、駆動電流調整モジュール１６は、駆動電流調整モジュール１６を制御する操作を入力するためのユーザインタフェース（Ｕｓｅｒ  Ｉｎｔｅｒｆａｃｅ，ＵＩ）部１６０を含む。このユーザインタフェース部１６０は、例えば、任意の適切な入力素子１６０２及び表示器１６０４を含んでもよい。
【００５２】
入力素子１６０２は、駆動電流調整モジュール１６のユーザによって入力されて駆動電流調整モジュール１６の情報（設定信号、書き込み信号及び消去信号を含む）を制御するための任意の構成、例えば、押しボタン、キーボードまたはこれらの組み合わせを含んでもよい。
【００５３】
表示器１６０４は、情報を表示して駆動電流調整モジュール１６のユーザに見せるための任意の構成を含んでもよい。なお、上記の情報は、ユーザが入力素子１６０２により入力した情報、または駆動電流調整モジュール１６が駆動電流生成モジュール１４から受信した応答信号に対応してもよい。また、入力素子１６０２及び表示器１６０４は、応答信号をユーザに見せて、ユーザが設定信号、書き込み信号及び消去信号を入力可能なタッチセンシティブディスプレイに結合されてもよい。
【００５４】
駆動電流調整モジュール１６がコネクタプラグ１２２及びポート１２４を介して駆動電流生成モジュール１４に物理的に接続される場合、マイクロプロセッサ１４４は、駆動電流調整モジュール１６からの設定信号を受信するとともに、生成されたパルス幅変調信号のデューティサイクルを設定信号に応じて調整し、その結果、駆動電流生成部１４６から出力された駆動電流Ｉｏｕｔのレベルを調整する。なお、駆動電流生成モジュール１４は、経路１４７を介してポート１２４に電気的に接続され、駆動電流調整モジュール１６が駆動電流生成モジュール１４に物理的に接続される場合、ＵＳＢ電力供給規格により駆動電流調整モジュール１６に操作電力を供給可能であることを理解されたい。さらに、駆動電流調整モジュール１６が駆動電流生成モジュール１４に物理的に接続されるとともに、マイクロプロセッサ１４４が駆動電流調整モジュール１６から供給された書き込み信号を受信した場合、マイクロプロセッサ１４４は、書き込み信号に応答して、設定信号に応じてメモリ１４２の出力電流設定値を書き換えるようになる。
【００５５】
また、駆動電流調整モジュール１６が駆動電流生成モジュール１４に物理的に接続されるとともに、マイクロプロセッサ１４４が駆動電流調整モジュール１６から供給された消去信号を受信した場合、マイクロプロセッサ１４４は、生成されたパルス幅変調信号のデューティサイクルを設定信号に応じて調整して、駆動電流生成部１４６から出力された、設定信号に対応する駆動電流Ｉｏｕｔのレベルを調整すると同時に、消去信号に応答して、消去信号に応じてメモリ１４２の出力電流設定値を出荷時の所定値に復帰させる。その後、駆動電流生成モジュール１４が駆動電流調整モジュール１６から分離された後、マイクロプロセッサ１４４は、メモリ１４２からの、出荷時の所定値である出力電流設定値に応答して生成されたパルス幅変調信号のデューティサイクルを設定する。これにより、駆動電流生成部１４６は、駆動電流Ｉｏｕｔのレベルを調整するようになる。この場合、駆動電流生成部１４６から出力された駆動電流Ｉｏｕｔは、出力可能な駆動電流Ｉｏｕｔの最大値となる。
【００５６】
図６に示す発光ダイオード灯具の駆動電流調整装置１は、主に、駆動電流生成モジュール１４がパワーオンの状態に、設定信号に応じてメモリ１４２の出力電流設定値を書き換えるか、または消去信号に応じてメモリ１４２の出力電流設定値を出荷時の所定値に復帰させて、オンライン（ｏｎ−ｌｉｎｅ）バーストカット機能を実現する。しかしながら、実施時に、発光ダイオード灯具の駆動電流調整装置１における駆動電流調整モジュール１６は、駆動電流生成モジュール１４がパワーダウンの状態に、設定信号に応じてメモリ１４２の出力電流設定値を書き換えるか、または消去信号に応じてメモリ１４２の出力電流設定値を出荷時の所定値に復帰させて、オフラインバーストカット機能を実現する。
【００５７】
図７は、本発明の第５実施形態に係る発光ダイオード灯具の駆動電流調整装置１の回路ブロック図である。図７に示すように、発光ダイオード灯具の駆動電流調整装置１は、通信インタフェース１２、駆動電流生成モジュール１４及び駆動電流調整モジュール１６を含む。なお、通信インタフェース１２、駆動電流生成モジュール１４の個別の回路構成及び各素子の接続形態は、図６に示す通信インタフェース１２及び駆動電流生成モジュール１４と同様のため、その詳細な説明は省略する。
【００５８】
駆動電流調整モジュール１６は、ユーザインタフェース部１６０及びバッテリー１６１を含む。ユーザインタフェース部１６０は、駆動電流調整モジュール１６を制御する操作を入力し、例えば、任意の適切な入力素子１６０２及び表示器１６０４を含んでもよい。バッテリー１６１は、ユーザインタフェース部１６０に操作電力を供給することができるほか、通信インタフェース１２を介してＵＳＢ電力供給規格により直流電源を駆動電流生成モジュール１４に供給することもできる。
【００５９】
こうすることで、ユーザインタフェース部１６０の入力素子１６０２は、トリガー指示に応じて書き込み信号または消去信号を生成することができる。さらに、駆動電流生成モジュール１４のマイクロプロセッサ１４４は、書き込み信号または消去信号に応答して、設定信号に応じてメモリ１４２の出力電流設定値を書き換えるか、または消去信号に応じてメモリ１４２の出力電流設定値を出荷時の所定値に復帰させることができる。また、駆動電流調整モジュール１６の表示器１６０４は、マイクロプロセッサ１４４からの応答信号を表示することができる。
【００６０】
本発明の好適な実施形態を前述の通り開示したが、これらは決して本発明を限定するものではない。当業者であれば本発明の概念又は技術的思想を含む各種の変動や交換は、本発明の保護を求める範囲内に属するものである。
【符号の説明】
【００６１】
１ 発光ダイオード灯具の駆動電流調整装置
１２ 通信インタフェース
１２２、１９０ コネクタプラグ
１２２−１、１２２−ｎ、１２４、１２４−１、１２４−ｎ、１６８ ポート
１２６−１、１２６−ｎ アダプタケーブル
１２６０−１、１２６０−ｎ、１２６２−１、１２６２−ｎ アダプタプラグ
１４、１４−１、１４−ｎ 駆動電流生成モジュール
１４２ メモリ
１４４ マイクロプロセッサ
１４６ 駆動電流生成部
１４６０ ＡＣ／ＤＣコンバータ
１４６２ ＤＣ／ＤＣコンバータ
１４５、１４７、１６３、１６５、１６７、１６７−１、１６７−ｎ、１６９ 経路
１６ 駆動電流調整モジュール
１６０ ユーザインタフェース部
１６０２ 入力素子
１６０４ 表示器
１６１ バッテリー
１６２ 設定信号生成装置
１６４ 書き込み消去部
１６６、１６６−１、１６６−ｎ  表示素子
１８ 電源供給器
１９ ケーブルアセンブリ
３ 発光ダイオード灯具
３０ 発光ダイオード
５ 電流供給端
Ｉｏｕｔ 駆動電流
ｔ１ 第１所定の時間
ｔ２ 第２所定の時間
【図１】
2018092877.tif 000003
【図２】
2018092877.tif 000004
【図３】
2018092877.tif 000005
【図４】
2018092877.tif 000006
【図５】
2018092877.tif 000007
【図６】
2018092877.tif 000008
【図７】
2018092877.tif 000009